(57)【要約】      （修正有）【課題】汚水を浄化し生態系を再生して、鯉やトラウトの養殖に繋がり、湖沼や河川の再生に繋がる、ビオトープを造り、維持できる技術が求められている。【解決手段】平均水位に合わせて鉢付Ｌ型ブロックを造り、柳を移植し、貫通孔より水中に根を張り魚巣を形成し、移植時及び渇水期に備え、暗渠で水を送り育て、堰を造り水を溜め、堰の手前に流砂採取槽を造り、道路より、ユンボで定期的に或いは増水後に砂や泥を採集して、ビオトープを造り維持して、浄水して、生態系を再生し、鉢付Ｌ型ブロックにより、高水敷き散策路を造り、維持管理するシステムとブロック接続用側面孔付ナットとボールト状鉄筋により、護岸ブロックの強度及び耐久力を増し施工し易くした、新しい魚道や養魚場に応用できるシステムである。【選択図】図１７
2005180157.tif 000002
【特許請求の範囲】
【請求項１】
目的の河川及び湖沼に一般的なＬ型擁壁やＬ型ブロック及びＵ字溝に水深や水量、平均水位に合った施工目的に合った大きさの鉢を製作し取り付ける事、（図１、２、４、１０）を参照。
【請求項２】
適切な柳類の枝を逆Ｔ字型に切り、挿し木して充分に根が伸びて、鉢から根を出し施工し水中に根を張れる様に育てた柳類を移植する事、（図１１、１２）を参照。
【請求項３】
洗掘を防ぐために、その鉢の内部の底から上に向け、斜めに川下側の外部の側面に、適切な厚みのステンレスのパイプ（貫通孔）を、錆びない様に根が成長し大きくなり、鉢を壊さぬ様に取り付けて、水を浄化する為に、其の貫通孔（パイプ）から、移植した柳類の根を切らぬ様に水中に張り出すように施工する事、鉢から根が水中に伸びるのを待っているのではないのです、（図３、４、８、１０、１３）を参照。
【請求項４】
其の貫通孔（パイプ）から柳類の根を水中に張り出すように施工する時に、麻縄や麻布をパイプと根の隙間に充填して、毛根の成長により洗掘を防ぐ様にする事、（図１３）を参照。
【請求項５】
移植した柳類が根づく様に、河川の渇水期に枯れない様に、暗渠を通し上流の地下水をポンプで引く事、（図１、２、３，４、８、１０、１３）を参照。
【請求項６】
柳類の根が充分に水中に隠れる様に、その河川の勾配に応じ階段状に、堰を造り水位を保つ事により、ビオトープを形成し、生態系を再生する事、（図１４、１６、１７）を参照。
【請求項７】
堰のすぐ手前に、流砂採取槽を取り付ける事により、流砂の量と移動の状態等を観察し、川床に泥や砂が溜まらない様にする事で、ビオトープを維持する事が出来る。（図１４、１５、１６、１７、１８、１９、２０，２１、２２）参照。
【請求項８】
景観を良くし、光を防ぎ水中の根が隠れる様に、擬石（飾り石）を付ける事、（図１４、１７）を参照。
【請求項９】
移植した柳類が根付いたら、木が大きくなり過ぎない様に、河川に適した背丈に切る事に因り、柵を造り、景観を良くして、根の発達を促す、（図１４、１５、１６，１７）を参照。
【請求項１０】
作業し易くする為の、ブロック接続用ボールト状鉄筋とブロック接続用側面孔付きナットによる接続方法、（図２３、２４、２５、２６、２７）を参照。
【発明の詳細な説明】
【発明の詳細な説明】
【技術分野】
【０００１】簡易な構造の鉢付Ｌ型ブロックは、自然環境の生態系及び景観保護の為に、都市の河川の生態系を維持できるビオトープの公園にする等、河川の改修や、天井川の改修と護岸や新しいタイプの魚道の建設や魚貝類の養殖や干潟や海の保護と農業に繋がる、多自然型の川造りに応用できる、ビオトープの浄水工法であり、土木・建築の分野に属する。
【背景技術】
【０００２】従来のコンクリートブロックによる護岸は、自然河岸との断絶が著しく川床から法面までコンクリートとブロックで一体に固める方法であり、被害対策に非常に効果的であったが、重大な生物阻害の生ずる欠点があり、最近では、自然保護と公害の防止の考え方から、生態系の繋がりを重視した、ビオトープ工法や護岸ブロック等が種々考え出されている。（例えば、特開平６−４１９３２、特開平６−２５７１２１、特開平７−３４４２９、特開平７−０２４４４２、特開平７−２３３５１５、特開平７−２５１１８８、特開平８−８１９３８、特開平９−５７２５１、特開平９−８５２８２、特開平９−３０２６４２、特開平１０−４８１９、特開平１０−３４１８６、特開平１０−１０２５１６、特開平１０−１１０４１９、特開平１０−１８３５７１、特開平１０−１９５８４２、特開平１０−２８０３５４、特開平１１−１３１４４８、特開平１１−２１７８１６、特開平１１−３０９４７２、特開２０００−１２９７０３、特開２０００−３２８５４１、特開２００１−６４９４４、特開２００１−７３３４１、特開２００１−９００４５、特開２００３−１４７８８０、実開平５−８１３１３、実開平５−９４３２６、登実新第３０７５８６４号、意匠登録０９７４４９３号、意匠登録０９９２９８７号、意匠登録１０１６２６０号、意匠登録１０３５８０５号、意匠登録１０７２２８５号、実例として、兵庫県神戸市の都賀川／都賀公園と神奈川県横浜地区の一の坂川及び各種の魚道を参照。
【発明が解決しようとする課題】
【０００３】見かけ以上に自然は病んで現実から、公害を防ぎ、自然環境の生態系の再生と景観保護の為に、出来うる限り、総合的な技術を開発し提供する事は、現代社会に置いて急務であり、戦争なんかしている暇は無いのである、現在の河川の水は直ちに流すと言う発想で造られた、従来の護岸ブロックとコンクリートで固められた河川は、自然河岸との断絶があり、人口の移動や増減と産業の発達に伴う住宅地や工場や道路の建設により、都市部の河川に生活排水や工場廃水の処理が不十分な儘に流され、勾配が不適切になり、随所に流砂や泥が溜まり、低水路の両側の水際に雑草が自生して水中に根を張り、ビオトープを形成しているが、放置されているので流砂や泥やゴミは更に溜まり、浄水能力は低下し、異臭を放つドブ川となり、洪水等の増水時に水際の雑草の根は洗掘され、低水路が壊れ、浄水能力は著しく低下し生態系は壊れたままで、改修工事をしなければ汚水やゴミはそのまま海まで流され、やがて干潟は生命を育まなくなり、海は汚れ、近い将来に人類は其の生存の基盤を失う可能性が出て来ている、其処で人間生活の原点に戻り、河川を単なる排水溝として使うのでは無く、河川は生活の一部であり、皆で維持管理して当り前と言う、考え方に起ち、如何すれば良いのか？を真剣に模索する必要が在る、従来の技術や工法は魚巣には適していても浄水出来ないもの、浄水出来ても魚巣に適さず、景観を保護出来ても浄水出来ず、ビオトープを形成し生態系を再生して維持出来ず、部分的に使うには良いのですが、自然つまり全体との繋がりを造り、自然河岸との断絶を無くすには、ビオトープを造り、水際の柳類を繁らせて、魚巣を造り、浄水して、生態系を再生して、魚と昆虫の繁殖の場を造り、野鳥の生息に適した景観を保護出来る技術は少なく、例えば河川の改修に自然石を使うのは良いのですが、その自然石を採集して来た山等の壊された自然は如何するのか？  出来うる限り、自然と共生して、自然を回復し景観を保護できる技術は無いものか？  例えば法面を形成し魚巣を兼ねたブロック類を多数積み上げる施工方法は、護岸曲線部に置いて施工しづらく自然河岸との断絶を無くす事は可能であるが、増水時の河川の蛇行に因る侵食を受け易く、また強度及び耐久力に乏しく、魚巣を形成しても流砂により埋められてしまう欠点が在り、新たに法面を形成する工法では、都市部の狭い河川敷を有効に活用する事は難しく、特に生活汚水と工場廃水の発生する都市部に置いて、ヒートアイランド現象や、大気汚染を無くするには、自然と共生する以外に道は無く、都市部の河川の流量をあまり変えずに、狭い土地を活用して、自然河岸との断絶を無くし、ビオトープを形成して、壊れた生態系を再生して維持し浄水し景観を保護できる公園にする必要があり、従来の技術に無い、部分的な技術を結びつける総合的な技術、容易に施工でき、強度と耐久力に優れ、更に維持管理も比較的容易で、大量生産できる商品とシステムが求められている。
【０００４】本発明は、以前に出願した特開２００３−４１５５２「鉢付Ｌ型ブロックによる、自然環境の生態系及び景観保護の為の、湖沼及び河川の護岸と魚巣を兼ねた浄水工法」の改良と、ビオトープの造り方と、景観の保護と維持管理の方法の新しい技術の開示を目的としている。
【課題を解決する為の手段】
【０００５】自然河岸の水際に自生している柳類は、土中に深く根を張り、水中にも根を張り出して棚を造り、掘れた穴には魚が棲みつき繁殖して、ビオトープを形成して生態系を維持している。  此処に着目して、本発明は此れを模して、その環境を創り出し、「請求項１」の自然河岸との断絶を無くす為に、一般的なＬ型擁壁やＬ型ブロック及びＵ字溝に、目的の河川の水深と水量と平均水位に合わせて、柳類の植樹の為に、（図１）鉢付きＬ型ブロック斜視図と、（図２、３、８、１０）鉢付きＬ型ブロック各図の様に、少なくても３０年以上の耐久力が在る様に、鉄筋を入れて、岩棚を模して鉢を造り、植木は植えられた鉢の大きさに育つ性質であるから、その鉢付きＬ型ブロックの大きさに合う、適切な柳類の枝を「請求項２」の（図１１、１２）の様に、その数だけ逆Ｔ字型に切り、砂地等の適当な場所に挿し木して充分に育ち水中に根を張れる位に伸びてから、（図１３）の様に、成長した柳類を鉢に移植した状態の断面図の様に、根を切らぬ様に鉢に移植して「請求項３」の洗掘を防ぐ為に、根が成長して鉢を壊さぬ様に、錆びない様に、適切な厚みのステンレスパイプを、鉢の内部の底から上に向け川下側の外部側面に斜めに取り付けて、貫通孔を造り、そのパイプの中に柳の根を通す時に、「請求項４」の（図１３）の様に、根と根の隙間やパイプとの隙間に麻布や麻縄を詰めて施工し、毛根が成長して貫通孔を塞ぐので洗掘を防げるのである、根が水中に張り出すように施工して、根が水中に伸びるのを待っているのではないのです、また、「請求項５」の各図の様に、移植時に根が育つ様に、河川の渇水期に枯れない様に、鉢付Ｌ型ブロックの上部に暗渠を通し上流の地下水をポンプで引く事で柳類の成長を助け、自然環境保全法と環境基本法に基づき、あまり流量を変えずに、「請求項６」の柳類の根が充分に水中に隠れる様に、その河川の勾配に応じて階段状に（図１４）の堰及び流砂採取槽の取り付け施工図の様に堰を造り水位を保つ事により、ビオトープを形成して汚水を浄化して生態系を再生し、「請求項７」の（図１４，１５，１６，１７，１８、）の様に堰の少し手前に、流砂採取槽を取り付ける事により、定期的に或いは増水後に、流砂や泥を採取して、その量と移動の状態を観察しデータを記録し、川床に砂や泥が溜まらない様にする事により、ビオトープを維持管理する事が出来る、「請求項８」の（図１４）と（図１７）の様に擬石（飾り石）を取り付ける事により、光を防ぎ水中の根が隠れる様にして根が育つ様にし、「請求項９」の（図１４、１５、１６、１７）の移植した柳類が根付いたら河川の柵に適した背丈に切る事により、景観を良くして、根の発達を促すのである、「請求項１０」の（図２３、２４、２５、２６、２７）の作業し易くする為のブロック接続用ボールト状鉄筋とブロック接続用側面孔付きナットによる、接続方法により、施工し易くなり、ブロックの強度と耐久力が増し、部分的な技術を結びつけ、柳類と鉢付Ｌ型ブロックと堰と流砂採取槽による、ビオトープを形成し、汚水を浄化し、魚巣を形成し、景観を保護し、野鳥の生息に適した、生態系を再生し、維持管理し易いシステムと、その施工方法を開示している。
【発明を実施するための最良の形態】
【０００６】現在の、河川の水は直ちに流すと言う発想で河川を単なる排水溝として使かうのではなく、河川は生活の場の一部であり、皆で維持管理して当たり前と言う考え方に起ち、都市部に良く在る空割り石積みの堀川は低水路と高水敷散策路の区別も無く、生活排水や工場廃水を水路の全面に流し、単なる排水溝になり、異臭を放つドブ川と成っている、都市部河川の狭い土地を活用して、この様な川の汚水を浄化して、生態系を再生して、公園にする事は出来ないだろうか？  其処で（図１４）堰及び流砂採取槽の取り付け断面図と（図１７）の鉢付Ｌ型ブロックと堰と流砂採取槽の施工完成図とＣ〜Ｃ断面図と（図２８）鉢付Ｕ字溝斜視図と（図２９）鉢付Ｕ字溝断面図を基に説明する、都市部の河川の狭い土地を活用するには、鉢付Ｌ型ブロック、或いは鉢付Ｕ字溝を使い、河川の流量をあまり変えずに、川床の必要な部分を掘り下げ低水路を造り、堰を造り、水を溜める事により、消防用水源にも使え、維持管理をする為の、高水敷散策路を造り、景観を良くする為にも、他の自然を壊さなくて済む様に、挿し木して成長した柳類を移植して、柳類をその河川に合った背丈に切り散策路の柵にする事により根の発達を促し、増水時の水の流れを良くして、擬石（飾り石）を付ける事により、景観を良くし、水中の根に日陰を造り根を守り成長させ、ビオトープを創り浄水し、堰の少し手前に創った、流砂採取槽に溜まった、流砂や泥を定期的に、或いは増水後に道路よりユンボで吊り上げて採取する事により流砂や泥の状態を調べ、ビオトープを維持し、小・中学生の鳥の観察や魚採りや昆虫採集や水質検査や生態系の勉強の場として活用し、親水空間の公園として、市民参加の教育の再生に繋げて行き、自然再生促進法に基づきＮＰＯが清掃し維持管理する事が、都市の再生に繋がり、（図２８）鉢付Ｕ字溝で都市部の排水溝を造る事で、歩道の脇を小公園にする事により、孤立した都市の自然を結び、ヒートアイランド現象や排気ガス問題の減少に繋がり、大型の鉢付Ｕ字溝を使い、丘を流れている水を流すだけの、農業用水路をビオトープにして、孤立した谷戸の自然を繋ぎ、天井川の改修と維持管理がし易くなり、新しいタイプの魚道と養魚場を創り、ダム建設中止後の自然回復の補修工事が出来、流砂採取槽の活用により、流砂系の量と移動状態を観察し調節し林業と農業と漁業や工業と建設業に活用出来る、（図２３、２４、２５、２６，２７）のブロック接続用ボールト状鉄筋とブロック接続用側面孔付きナットにより、ブロックとブロックの接続作業がし易くなり、強度と耐久力を増し、隙間無く河岸を被覆して河川の蛇行による浸食を防ぎ水路を維持管理する事が出来るシステムの技術と工法である。
【発明の効果】
【０００７】鉢付Ｌ型ブロックと鉢付Ｕ字溝と堰と流砂採取槽の優れた構造とシステムにより、移植した柳類は成長し汚水を浄化し、生態系を再生し、昆虫が繁殖し、水草が茂り、魚巣を形成し、魚が繁殖し、野鳥が来て、親水公園が出来、市民の手で維持する事により、都市に自然が戻り、ヒートアイランド現象の解決に繋がり、排気ガス問題の解決に繋がり、都市に点在し孤立した公園を繋ぎ、都市周辺の孤立した谷戸を繋ぎ、新しいタイプの魚道と養魚場を創り、干潟や海を公害から守る事に繋がり、農業と漁業を守る事に繋がり、自然保護をする事が、市民に安心と安らぎを与え、大きな経済効果を齎す。
【図面の簡単な説明】
【０００８】
【図１】鉢付Ｌ型ブロック斜視図
【図２】鉢付Ｌ型ブロックＡ断面図
【図３】鉢付Ｌ型ブロックＢ断面図
【図４】鉢付Ｌ型ブロック側面図  １
【図５】鉢付Ｌ型ブロック側面図  ２
【図６】鉢付Ｌ型ブロック背面図
【図７】鉢付Ｌ型ブロック正面図
【図８】鉢付Ｌ型ブロック正面のＣ断面図
【図９】鉢付Ｌ型ブロック底面図
【図１０】鉢付Ｌ型ブロック平面図
【図１１】柳の枝の切断箇所の図
【図１２】逆Ｔ字型柳の枝の挿し木の図
【図１３】成長した柳を鉢に移植した状態のＣ断面図
【図１４】鉢付Ｌ型ブロックと堰と流砂採取槽のＤ、Ｅ、Ｆ、Ｇ、断面施工図
【図１５】Ｄ断面施工図
【図１６】Ｅ断面施工図
【図１７】鉢付Ｌ型ブロックと堰と流砂採取槽の施工完成図とＦ、Ｇ断面図
【図１８】流砂採取槽斜視図
【図１９】流砂採取槽側面図
【図２０】流砂採取槽平面図
【図２１】流砂採取槽底面図
【図２２】流砂採取槽正面図
【図２３】側面孔付きブロック接続用ナット平面図
【図２４】側面孔付きブロック接続用ナット側面図
【図２５】側面孔付きブロック接続用ナット斜視図
【図２６】ブロック接続Ｈ断面状態図
【図２７】ブロック接続状態図
【図２８】鉢付Ｕ字溝斜視図
【図２９】鉢付Ｕ字溝Ｉ断面図
【図３０】鉢付Ｕ字溝正面図
【図３１】鉢付Ｕ字溝側面図
【図３２】鉢付Ｕ字溝平面図
【図３３】鉢付Ｕ字溝底面図
【符号の説明】
１  鉢２  暗渠３  暗渠挿入溝４  貫通孔５  鉄筋６  基礎部７  鉢の内部８  ステンレスパイプ９  背面部１０  底面１１  切断箇所          ａ〜ａ          ｂ〜ｂ          ｃ〜ｃ          ｄ〜ｄ          ｅ〜ｅ          ｆ〜ｆ１２  土中の根１３  逆Ｔ字型に切断した柳類の枝１４  貫通孔より取り出した根１５  鉢内部の根１６  移植した柳類１７  水中に張り出した根１８  Ａ〜Ａ  断面１９  Ｂ〜Ｂ  断面２０  Ｃ〜Ｃ  断面２１  Ｄ〜Ｄ  断面２２  Ｅ〜Ｅ  断面２３  Ｆ〜Ｆ  断面２４  Ｇ〜Ｇ  断面２５  Ｈ〜Ｈ  断面２６  擬石（飾り石）２７  流砂採取槽２８  取手２９  堰３０  鉢付Ｌ型ブロック３１  空割り石積み護岸３２  高水敷き散策路３３  側面貫通孔付きブロック接続用ナット３４  側面貫通孔３５  ボールト状ナット３６  型枠固定用ナット３７  チッピング（削り面）３８  ボールトとナットの隙間３９  セメントペースト
【図１】
2005180157.tif 000003
【図２】
2005180157.tif 000004
【図３】
2005180157.tif 000005
【図４】
2005180157.tif 000006
【図５】
2005180157.tif 000007
【図６】
2005180157.tif 000008
【図７】
2005180157.tif 000009
【図８】
2005180157.tif 000010
【図９】
2005180157.tif 000011
【図１０】
2005180157.tif 000012
【図１１】
2005180157.tif 000013
【図１２】
2005180157.tif 000014
【図１３】
2005180157.tif 000015
【図１４】
2005180157.tif 000016
【図１５】
2005180157.tif 000017
【図１６】
2005180157.tif 000018
【図１７】
2005180157.tif 000019
【図１８】
2005180157.tif 000020
【図１９】
2005180157.tif 000021
【図２０】
2005180157.tif 000022
【図２１】
2005180157.tif 000023
【図２２】
2005180157.tif 000024
【図２３】
2005180157.tif 000025
【図２４】
2005180157.tif 000026
【図２５】
2005180157.tif 000027
【図２６】
2005180157.tif 000028
【図２７】
2005180157.tif 000029
【図２８】
2005180157.tif 000030
【図２９】
2005180157.tif 000031
【図３０】
2005180157.tif 000032
【図３１】
2005180157.tif 000033
【図３２】
2005180157.tif 000034
【図３３】
2005180157.tif 000035